(57)【要約】      （修正有）【課題】プライバシーを確保するとともに開放感と安らぎが得られる。  【解決手段】窓をもたないユニットバスにインテリア窓を設ける。窓は自然外界とインターフェースしないことから、入浴者のプライバシーが完全に守られる。窓領域を使った装飾用小部屋を設け、植物・収納棚・ラジカセを置き、ラジオ番組や音楽を楽しみながら入浴し、解放感と安らぎを満たすもので、従来のユニットバスにはない入浴効果が得られる。【選択図】図２
0003117575.tif 000002
【実用新案登録請求の範囲】
【請求項１】
窓を持てないユニットバスにおいて、閉塞感や圧迫感を和らげる装飾窓を具え、当該装飾窓の外側に、鉢植え植物や飾りを置き、照明器具による照明効果により、窓を持つ一般の浴室と同じ入浴感を満たす手段を備えたことを特徴とするユニットバスのインテリア窓。
【請求項２】
当該装飾窓の外側に一般仕様のラジカセを置き、ラジオや音楽又は録音した音を聞きながら、請求項１において、装飾効果や照明効果と共にリラックス感覚やムード感覚を味わえる手段を備えたことを特徴とするユニットバスのインテリア窓。
【請求項３】
当該装飾窓に一般仕様のラジカセや小物収納棚を置く手段を備えたことを特徴とするユニットバスのインテリア窓。
【請求項４】
当該装飾窓は引き違い戸型や両開き型等、どのようなタイプを選んでも、自然外界から浴室内を覗かれたり、盗み見られる恐れが無いことより、入浴者のプライバシーを完全に守る手段を備えたことを特徴とするユニットバスのインテリア窓。
【考案の詳細な説明】
【技術分野】
【０００１】  本考案は、窓を持たないユニットバスに開閉することの出来る装飾窓を設け、当該装飾窓の領域を窓のある浴室と同じような効果を持たせ、更に入浴者のプライバシーは完全に守ることに関するものである。尚、当該装飾窓とその窓を開けた時に現れる小部屋部位、及び周辺領域を含みインテリア窓という。
【背景技術】
【０００２】  一戸建て住宅用のシステムバスやユニットバスには、窓のあるものが多い。また、マンションやアパートにおいても建築物の部屋位置条件によっては、ユニットバスでも窓を持てる物が少数存在しているが、希少価値であり経済的負担も大きい。そして、それ以外の大部分の部屋における浴室は、窓のないユニットバスが設置されており、窓の設置希望はあるが間取りの関係や技術的な困難さから不可能とされている。【０００３】  一方、現在の一般的な浴室窓は、いずれの場合も自然外界との間に設けられていることより、入浴者は覗かれたり盗み見られるのを心配しており、プライバシーの完全な確保は難しい。【０００４】  また、いずれの浴室においても窓の照明や背景を時により変えることが出来れば、入浴者の気分に合わせ様々な要求を満たすことが出来、更に音響効果を加えることにより、ゆったりとした入浴効果を高められる。【０００５】  その上、浴室内に小物収納棚が在れば、浴室内で必要とする予備の物品を収納しておけるし、一般仕様のラジカセも楽しめる。しかし現在、当該物品を置ける手段である、小部屋を備えた浴室はない。
【考案の開示】
【考案が解決しようとする課題】
【０００６】  マンションやアパートのユニットバスに窓を持たせることが出来るのは、建築物の角部屋のような場所に位置する一部の部屋に限られ、その内側となる大多数の部屋は窓を持たないユニットバスを設置している。入浴者は本来窓から外の景色を眺めながらゆったりとした入浴感覚に浸りたいという要求でありながら、窓を持てないユニットバスではその逆であり、ユニットバス特有な閉塞感や圧迫感を伴わざるを得ず、風呂の最低機能であるアカや汗を流す単なる狭い部屋でしかあり得ない。また、外気を生じ入れられないのが実状であるが、成すべき手段はなかった。【０００７】  一方、入浴者の大きな希望である自然な窓は、外界から浴室内を覗かれたり盗み見られる恐れがあることより入浴者のプライバシーを完全に守ることは出来ず、特に窓の眺望効果と両立させることは相反する事象であり両立させることは不可能である。【０００８】  また、ユニットバスには、窓を利用した照明効果や背景を演出するものはない。【０００９】  更に、ユニットバスには浴室内に収納物が濡れないようにして、小物収納棚やラジカセを置ける小部屋を備えたものはない。
【課題を解決するための手段】
【００１０】  本考案は、窓を持たないユニットバスに一般的な窓と同じ開閉することの出来る装飾窓を設け、ユニットバス特有である閉塞感や圧迫感を和らげ、自然な窓の感覚を得るものである。当該装飾窓の形や色は一般のアルミサッシ窓であればいずれも使うことが出来、設置個数やその位置は好みに応じて選択して設置することが出来る。当該装飾窓の使い方は一番シンプルなものとして当該装飾窓を開けると、当該場所は網戸や化粧パネルである場合。二番目にシンプルなものとして、当該装飾窓の外側に装飾用照明器具と装飾用パネル、又は化粧パネルを設置してある場合のものであり、当該装飾窓を設置した場所はユニットバス自体の外側点検出口としても機能させる。【００１１】  次に三番目としては、当該装飾窓を開けると当該場所に窓の大きさや形より大きく、奥行きを持った小部屋が現れる。当該小部屋を自在に装飾するやり方は、▲１▼照明効果の演出用として当該小部屋の上下や左右、又は正面を選択して、間接光や直接光によるリラックス又はムードを目的とした照明や、実用を目的とした照明を設置する。▲２▼当該小部屋の外側に空気清浄用のフィルターを設置して外気や換気扇空気の取り入れ口としたり、そこに加熱装置とファンを付加して温風の吐き出し口にする事と共に、ユニットバス外周の換気に役立てる。▲３▼当該小部屋は鉢植え植物や花瓶とか好みの置き物で装飾し、且つ照明効果により、あたかもそこは自然外界で在るかのように演出する。▲４▼当該小部屋に小物収納棚を置いて、浴室用品を収納する。▲５▼当該小部屋に一般的なラジカセを置くことによりニュースやスポーツ、その他の番組、及び音楽や予め録音した音と照明効果を付加することにより、海岸や遠くから見た町の景色、霧の中や鳥のさえずる森に囲まれた入浴等、入浴者の創造力を満たす空間とする。【００１２】  一方、当該窓は装飾窓であることより、自然外界から遮断さられており、入浴者は覗き見や盗み見の心配が無く、入浴者のプライバシーを完全に守れる。【００１３】  当該装飾窓と当該小部屋は直接的に雨にさらされることは無く、上記したそれぞれのやり方▲１▼〜▲５▼は単独でも機能するし、複数を選択して相乗効果を持たせ使用出来ることより、課題のすべてを解決している。
【考案の効果】
【００１４】  当該装飾窓を入浴者の好みにより自在に演出しても、入浴者のプライバシーは完全に守れる。そして、当該窓を閉めているときと開けているとき、また、演出価値と実用価値をそれぞれ分けると、閉めている場合は、▲１▼光と影による演出、▲２▼音楽とか海岸のさざ波や森林の風の音による演出、又はラジオや音楽を聴きながらの入浴等である。次に開けている場合は、▲３▼鉢植え植物とか置物や飾り物による眺望、▲４▼外気や温風の導入、▲５▼照明やムードランプによる演出等である。但し、照明効果や音楽又は音響効果などは当該装飾窓の開閉にこだわらない。
実用価値としては、当該装飾窓に置いた小物収納棚に石鹸やシャンプを常時おけることから、突然の不足を心配する必要はない。また、当該装飾用窓は自在に開閉することが出来るので、ユニットバス自体の外周点検口として使う。
このことから窓を持たないユニットバスにインテリア窓を備えることにより、窓を持たないユニットバスの宿命とも言える閉塞感や圧迫感を和らげ、本来浴室として要望されている自然な窓感覚を味わえる効果のみでなく、【００１５】  本考案は、自然外界とインターフェースを有しない装飾窓の浴室であることより、普通の浴室窓では不可能であった自然外界からの覗き見や盗み見の心配が無く、眺望的効果を持ちながら入浴者のプライバシーを完全に守り、安らぎの気分や、のんびりと入浴を楽しめる等、今までの窓を持たないユニットバスには無い効果を持つ。
【考案を実施するための最良の形態】
【００１６】  本考案の装飾窓の内、引き違い戸型である窓を例に取り閉めている場合と、開けている場合についてそれぞれ実施例を示す。当該窓ガラスは磨りガラスでも透明ガラスでも良いが本例に於いては、磨りガラスを例とする。浴室は湿度が高いので、当該装飾窓に固定して設置されている照明器具は防湿型である。
当該装飾窓を閉めて使う場合、装飾用の照明効果を明るくしたり暗くしたりすることにより朝や昼間、または夕方や夜の雰囲気を演出する。また、装飾窓の外に鉢植え植物とか花や飾り物を置くことにより窓に映る影から、あたかも窓の外は自然界のごとく演出される。なお、観葉植物や花を置いた場合は外気を導入して、その影を自然にそよがせることにより、リアルな外景感を演出する。また、一般仕様のラジカセを置き、入浴者の好みによる音楽やラジオ番組を聞いたり、予め録音した、海とか、清流や滝、森や鳥の鳴き声等による音の演出をする。【００１７】  次に当該装飾窓を開けて使う場合であるが、照明効果の実施は開けてある場合の実施と同じで、音の演出についてもラジカセをビニール袋などで防湿することにより同じように実施できる。それ以外は鉢植え植物や花を直接見ることが出来、入浴者の好みで装飾した装飾用小部屋の背景も直接見られること、及び外気または温風を導出できることから、よりリアルな自然感覚を演出する。また、小物収納棚等を置いて使う。
【実施例】
【００１８】  以下、添付図面により磨りガラス入り両開き型インテリア窓の場合において、当該窓を閉めてある場合一例と開けてある場合二例の実施例を説明する。
図１は、当該インテリア窓を浴室内の正面から見た一実施例で、窓は両側とも閉めてある場合である。１がインテリア窓本体であり、左側の窓２と右側の窓３をそれぞれ開けることが出来る。窓の外側上部に設置されている装飾用照明器具４の明るさを変えることにより、昼間や夕方又は夜の雰囲気を演出する。【００１９】  窓の外側下部に設置されている外気や温風の吹き出し口９は、当該窓を閉めている場合は使用しない。しかし、閉めている場合でも当該窓の外側に観葉植物や花等を置いて、それをそよがせたい場合は外気や温風の吹き出し口９から外気を吹き出してそよがせ、浴室内から見て観葉植物や花等の影がそよぐのでリアルな窓の感覚を味わえる。その他ユニットバス全体の構成部分であるが、５は浴室本体、６は脱衣室、７は洗い場、８は浴槽、１０は浴室扉である。【００２０】  図２は、当該インテリア窓を浴室内の正面から見た一実施例で、右側の窓３を開け、その外側に設置されている装飾用小部屋に置いた鉢植え植物１１を眺めている場合で、窓の外側上部に設置されている装飾用照明器具４による照明効果と合わせリアルな景色を演出する。【００２１】  また、当該植物をそよがせたい場合は窓の外側下部に設置されている外気や温風の吹き出し口９により外気を吹き出してそよがせ、リアルな窓感覚を味わう。また、浴室内に外気や温風を導入したい場合は、外気や温風の吹き出し口９から導入して、外気の場合は自然な風感覚を味わったり、温風の場合は浴室内の暖房に使う。その他ユニットバス全体の構成であるが、５は浴室本体、６は脱衣室、７は洗い場、８は浴槽、１０は浴室扉である。【００２２】  図３は、当該インテリア窓を浴室内の正面より少し右側から見た一実施例で、左側の窓２を開けその外側に設置されている装飾用小部屋１５にラジカセ１３や小物収納棚１２及びムードランプ１４を置いている場合である。【００２３】  ラジカセ１３は好みの音楽やラジオ番組とか予め録音してある山の風、鳥の鳴き声、小川のせせらぎ、海の波音、等を聞きながら入浴して音響効果による自然な場所での入浴感覚を味わう。【００２４】  小物収納棚１２には、浴室で必要な石鹸やシャンプ等を収納する。【００２５】  ムードランプ１４を作動させながら音楽やラジオ番組とか海、山、川の音を楽しむ。【００２６】  また、装飾用照明器具４による照明と当該音響を合わせて使うことにより、朝や昼及び夕方や夜の感覚を効果的に演出する。【００２７】  その時、外気や温風の吹き出し口９から外気を取り入れることにより窓を開け放ったリアルな風を感じ、自然感覚が増す。その他ユニットバス全体の構成であるが、５は浴室本体、６は脱衣室、７は洗い場、８は浴槽、１０は浴室扉である。【００２８】  当該図１、図２、図３のような実施例の他、どのような使い方においても装飾窓であることから、自然外界とインターフェースしないので入浴者のプライバシーを完全に守る。
【図面の簡単な説明】
【００２９】
【図１】  本考案の両開き型インテリア窓を、両方とも閉めている場合の一実施例を示す正面図である。
【図２】  本考案の両開き型インテリア窓において、右側の窓を開けた一実施例を示す正面図である。
【図３】  本考案の両開き型インテリア窓において、左側の窓を開けた一実施例を示す図である。
【符号の説明】
【００３０】  １    両開き型インテリア窓の本体      ９    外気や温風の吹き出し口
２    両開き型インテリア窓の左窓      １０  浴室扉
３    両開き型インテリア窓の右窓      １１  装飾用植物
４    装飾用照明器具                  １２  小物収納棚
５    浴室本体                        １３  ラジカセ
６    脱衣室                          １４  ムードランプ
７    洗い場                          １５  装飾用小部屋
８    浴槽
【図１】
0003117575.tif 000003
【図２】
0003117575.tif 000004
【図３】
0003117575.tif 000005
【手続補正書】
【提出日】平成17年9月28日(2005.9.28)
【手続補正１】
【補正対象書類名】実用新案登録請求の範囲
【補正対象項目名】全文
【補正方法】変更
【補正の内容】
【実用新案登録請求の範囲】
【請求項１】
窓を持てないユニットバスの壁面に浴室から見えて、外界から見えない窓と装飾用小部屋から成る装飾窓を設け、自然な入浴感を得る手段を備えたことを特徴とするユニットバスのインテリア窓。
【請求項２】
請求項１記載の装飾窓において、装飾用小部屋は、当該装飾窓の窓枠に奥行きを持って取り付けられ、そこに鉢植え植物や飾りを置き、浴室からの眺め的手段を備えたことを特徴とするユニットバスのインテリア窓。
【請求項３】
請求項１記載の装飾窓において、当該装飾用小部屋に、棚構造を持つ小物収納棚を具え、ラジカセを置き、当該装飾用小部屋に具えたムードランプと共に作動させ、安らぎの手段を備えたことを特徴とするユニットバスのインテリア窓。